(57)【要約】【課題】ネットワークシステムが離れた地域や部署にわたる場合、新しい無線端末装置のネットワークシステムへの登録を、地域、部署などによらずどこでも分散して行えるようにする。【解決手段】複数の無線端末装置４ａ，４ｂと、それぞれ無線端末情報リストを備える複数の制御装置２ａ，２ｂとを含んで構成されるネットワークシステム１において、各制御装置２ａ，２ｂに同じシステム識別子を付与し、制御装置４ａ，４ｂごとに、所定の無線端末登録手順を実行して無線端末情報リストを作成し、作成された無線端末情報リストを結合して１つの無線端末情報リストを作成し、統合された無線端末情報リストを、いずれかの制御装置４ａ，４ｂに格納する。【選択図】        図１
2004304742.tif 000002
【特許請求の範囲】
【請求項１】
無線によりデータを伝送する複数の無線端末装置と、それぞれ無線端末情報リストを備える複数の制御装置と、各制御装置に接続された無線基地局とを含んで構成されるネットワークシステムにおける無線端末装置をシステムに登録する方法であって、
各制御装置に同じシステム識別子を付与し、
制御装置ごとに、次の（ａ）〜（ｄ）の無線端末登録手順を実行して無線端末情報リストを作成し、
作成された無線端末情報リストを結合して、１つの無線端末情報リストを作成し、
統合された無線端末情報リストを、いずれかの制御装置に格納することにより、無線端末装置を当該ネットワークシステムに登録することを特徴とする無線端末登録方法。
（ａ）当該制御装置において、無線端末登録手順を起動する。
（ｂ）無線端末装置から、当該無線端末装置の無線端末識別子の情報を当該制御装置に通知する。
（ｃ）当該制御装置は、前記システム識別子と、当該無線端末装置の電話番号の情報を当該無線端末装置に通知する。
（ｄ）当該制御装置は、当該無線端末装置の電話番号と、当該無線端末装置の無線端末識別子の情報を含む無線端末情報リストを作成する。
【請求項２】
無線端末装置がＰＨＳ端末であることを特徴とする請求項１記載の無線端末登録方法。
【請求項３】
無線によりデータを伝送する複数の無線端末装置と、それぞれ無線端末情報リストを備える制御装置と、制御装置に接続された無線基地局とを含んで構成されるネットワークを複数用意し、それぞれのネットワークを利用して、無線端末装置をシステムに登録する方法であって、
各ネットワークの制御装置に同じシステム識別子を付与し、
制御装置ごとに、次の（ａ）〜（ｄ）の無線端末登録手順を実行して無線端末情報リストを作成し、
作成された無線端末情報リストを結合して、１つの無線端末情報リストを作成し、
統合された無線端末情報リストを、いずれか１つのネットワークの制御装置に格納することにより、無線端末装置を同一のネットワークシステムに登録することを特徴とする無線端末登録方法。
（ａ）当該制御装置において、無線端末登録手順を起動する。
（ｂ）無線端末装置から、当該無線端末装置の無線端末識別子の情報を当該制御装置に通知する。
（ｃ）当該制御装置は、前記システム識別子と、当該無線端末装置の電話番号の情報を当該無線端末装置に通知する。
（ｄ）当該制御装置は、当該無線端末装置の電話番号と、当該無線端末装置の無線端末識別子の情報を含む無線端末情報リストを作成する。
【請求項４】
無線端末装置がＰＨＳ端末であることを特徴とする請求項３記載の無線端末登録方法。
【発明の詳細な説明】
【０００１】
【発明の属する技術分野】
本発明は、無線によりデータを伝送する無線端末装置と、制御装置と、制御装置に接続された無線基地局とを含んで構成されるネットワークシステムにおける無線端末装置の登録方法に関するものである。
【０００２】
【従来の技術】
近年、低価格、高速データ通信といった利点を有する、ＰＨＳのプロトコルを用いる無線端末装置が利用されている。この無線端末装置を、有線ネットワークシステムの中に組み入れて、無線端末装置同士で、音声通信やデータ通信を行うことができる。
【０００３】
【特許文献１】特開平１０−３０３９２３号公報
【０００４】
【発明が解決しようとする課題】
無線端末装置のネットワークシステムへの新規登録は、ネットワークシステムの制御装置が１台であるので、登録しようとするすべての無線端末装置を制御装置のところに集めて、１台ずつ登録しなければならない。
登録には、１台あたり１分程度の時間を要するので、登録台数が多ければ長時間かかってしまう。
【０００５】
ネットワークシステムが離れた地域や部署にわたる場合、作業負荷を分散するために、無線端末装置を地域、部署などによらずどこでも登録でき、登録後は、１つのネットワークシステムの構成要素として、無線端末装置を任意の地域、部署で運用できることが望まれる。
そこで、本発明は、新しい無線端末装置のネットワークシステムへの登録を、分散して行うことができる無線端末登録方法を提供することを目的とする。
【０００６】
【課題を解決するための手段】
本発明の無線端末登録方法は、複数の無線端末装置と、それぞれ無線端末情報リストを備える複数の制御装置と、各制御装置に接続された無線基地局とを含んで構成されるネットワークシステムにおいて、各制御装置に同じシステム識別子を付与し、制御装置ごとに、所定の無線端末登録手順を実行して無線端末情報リストを作成し、作成された無線端末情報リストを結合して１つの無線端末情報リストを作成し、統合された無線端末情報リストを、いずれかの制御装置に格納することにより、無線端末装置を当該ネットワークシステムに登録する方法である。
【０００７】
前記の方法によれば、複数の無線端末装置を、各制御装置に分散して登録することができるので、１台の制御装置あたりの、登録台数の集中を避けることができる。そして、登録後は、無線端末情報リストを結合して１つの無線端末情報リストを作成し、統合された無線端末情報リストいずれかの制御装置に格納することにより、登録した全ての無線端末装置を当該１つのネットワークシステムの中で運用することができる。
【０００８】
また、本発明の無線端末登録方法は、複数の無線端末装置と、それぞれ無線端末情報リストを備える制御装置と、制御装置に接続された無線基地局とを含んで構成されるネットワークを複数用意し、それぞれのネットワークを利用して、無線端末装置をシステムに登録する方法であって、各ネットワークの制御装置に同じシステム識別子を付与し、制御装置ごとに、所定の無線端末登録手順を実行して無線端末情報リストを作成し、作成された無線端末情報リストを結合して、１つの無線端末情報リストを作成し、統合された無線端末情報リストを、いずれか１つのネットワークの制御装置に格納することにより、無線端末装置を同一のネットワークシステムに登録する方法である。
【０００９】
この方法によれば、複数の無線端末装置を、各ネットワークシステムに分散して登録することができるので、１つのネットワークあたりの、登録台数の集中を避けることができる。そして、登録後は、無線端末情報リストを結合して１つの無線端末情報リストを作成し、統合された無線端末情報リストいずれかのネットワーク内の制御装置に格納することにより、登録した全ての無線端末装置を当該１つのネットワークシステムの中で運用することができる。
【００１０】
【発明の実施の形態】
以下、本発明の実施の形態を、添付図面を参照しながら詳細に説明する。
―第１の実施形態―
図１は、本発明の無線端末登録方法が適用されるＩＰネットワークの構成図である。
ＩＰネットワーク１は、ＬＡＮやＷＡＮなどで構成され、制御装置２ａ，２ｂと、無線基地局３ａ，３ｂと、この無線基地局３ａ，３ｂを通して通信するＰＨＳなどの無線端末装置４ａ，４ｂとを備えている。
【００１１】
ここで「制御装置」とは、同じシステム識別子で定義されるＩＰネットワークの中に、通常１台あって、無線基地局を管理して、無線端末装置同士の呼接続を行わせる機能を持つ。
本ＩＰネットワーク１では、１つの制御装置２ａと、無線端末の登録に使用するためのもう１つの制御装置２ｂを備えている。これら２つの制御装置２ａ，２ｂには、同じシステム識別子が付与されている。
【００１２】
「システム識別子」とは、制御装置や無線端末装置に与えられ、同じシステム識別子を共有している同士で互いに通信が可能であることを示す。
各無線端末装置４ａ，４ｂには、無線端末識別子が付与されている。無線端末識別子は、その無線端末装置を認識するための識別子である。
なお、各制御装置２ａ，２ｂ、無線基地局３ａ，３ｂには、それぞれ異なるＩＰアドレスが付与されている。
【００１３】
制御装置２ａ，２ｂは、専用のメモリ２１の中に、無線端末情報リストを有している。無線端末情報リストの形式を表１に示す。
【００１４】
【表１】
2004304742.tif 000003
【００１５】
この無線端末情報リストの中には、各無線端末装置４ａ，４ｂの無線端末番号１，２，３，．．、システム識別子、無線端末識別子１，２，３，．．の各データが格納されている。なお、システム識別子は、前述したように、各無線端末装置４ａ，４ｂについて共通したものとなっている。
システム識別子と無線端末識別子のデータは、無線端末情報リストの中にそのままの形で格納してもよいが、何らかの変換ｆを行って、形を変えて格納してももよい。変換ｆの具体的な形は、システム識別子と無線端末識別子と、変換後のデータとが１対１に対応の付くものであれば、どのような形であってもよい。例えば、システム識別子と無線端末識別子がともに数字で表され、無線端末識別子がｎ桁の数字であれば、システム識別子に１０ｎ乗をかけて、その１０ｎ乗をかけた後の数値に無線端末識別子の数値を足したものを変換後のデータとしてもよい。この他、それぞれの各数値のビット列を交互に並べ替えるなどの方法でもよい。
【００１６】
次に、無線端末登録方法を説明する。以下に説明する無線端末登録方法の全部又は一部は、ＣＤ−ＲＯＭやハードディスクなど所定の媒体に記録されたプログラムを、各制御装置２ａ，２ｂのコンピュータが実行することにより実現される。
以下に説明する無線端末登録方法は、２台の制御装置２ａ，２ｂが互いに独立して行い、登録後のデータを最後に１つに合わせる。
【００１７】
登録しようとする無線端末装置４ａには、無線端末番号（電話番号）、無線端末識別子の組が設定される。
まず、管理者は、制御装置２ａの無線端末登録プログラムを起動する。そして、管理者は、登録しようとする無線端末装置４ａの無線端末番号（電話番号）を制御装置２ａの無線端末情報リストの中に書き込む。
管理者は、当該無線端末装置４ａを待ち受け状態にする。
【００１８】
以下、無線端末登録手順が自動的に進められる。当該制御装置２ａは、無線基地局３ａに無線端末登録手順を開始するように要求する。
無線基地局３ａは、無線端末装置４ａと無線通信を開始する。
無線端末装置４ａは、無線端末識別子のデータを、無線基地局３ａを通して制御装置２ａに送信する。
制御装置２ａは、システム識別子と無線端末識別子とから、前述した変換ｆを行って、変換後のデータを無線端末情報リストの中に書き込む。
【００１９】
そして制御装置２ａは、無線端末情報リストの中に書き込んだ内容、すなわちシステム識別子と無線端末識別子のデータを、無線端末番号（電話番号）とともに、無線基地局３ａを経由して無線端末装置４ａに送信することにより、無線端末装置４ａに通知する。
これにより、無線端末装置４ａを当該ＩＰネットワーク１の中に登録することができる。
【００２０】
他の制御装置２ｂにおいても、前述したのと全く同様の手順で、無線端末装置４ｂを当該ＩＰネットワーク１の中に登録することができる。
各制御装置２ａ，２ｂには、同じシステム識別子が付与されているので、無線端末装置４ａ，４ｂは、１つのＩＰネットワーク１に、制御装置が違っても、区別されることなく登録される。
ただし、無線端末情報リストは、制御装置ごとに備えられていて、当該制御装置を用いて登録した無線端末装置の情報のみが書き込まれている。そこで、システムの本運用時は、これらの無線端末情報リストを統合して１つの無線端末情報リストとして管理することが必要となる。
【００２１】
これらの無線端末情報リストを統合は、統合前の無線端末情報リストのデータファイルとしての構造を理解している統合プログラムを用いて行う。この統合プログラムの実行は、いずれの制御装置２ａ，２ｂにおいて行ってもよく、まったく別の制御装置において行ってもよい。
無線端末情報リストを統合したら、システムの本運用を管理する制御装置、例えば制御装置２ａのメモリ２１に、統合された無線端末情報リストを格納する。このとき、統合前の無線端末情報リストを上書きするという形でもよい。
【００２２】
そして、もう一方の無線基地局３ｂを、システムの本運用を管理する制御装置２ａに接続する。つまり、運用にかかわらない制御装置２ｂをシステムから切り離してしまう。
これによって、統合された無線端末情報リストを持つ１台の制御装置でシステムの本運用を開始することができる。
この無線端末登録方法によって、一方の制御装置、無線基地局は大阪、他の制御装置、無線基地局は東京という具合に地理的に離れている場合において、登録する無線端末装置を１つに集めなくても、それぞれ分散して無線端末装置をシステムに組み込むために登録することができる。また、一企業において、一方の制御装置、無線基地局は人事部、他の制御装置、無線基地局は営業部といった異なる組織に設置している場合でも、無線端末装置を１つに集めなくても、それぞれ分散して登録することができる。
【００２３】
また、前述したように個別に生成された無線端末情報リストを統合することにより、一つのシステムとして運用することができる。
いままでの実施の形態では、制御装置は、同じＩＰネットワーク１に所属するものであったが、制御装置は、別々のＩＰネットワークに所属するものであってもよい。
―第２の実施形態―
図２は、別々のＩＰネットワーク１，５に所属する制御装置２ａ，２ｃにおいて、それぞれ同一システム内に無線端末登録をする場合のＩＰネットワークの構成図である。
【００２４】
ＩＰネットワーク１は、制御装置２ａと、無線基地局３ａと、この無線基地局３ａを通して通信するＰＨＳなどの無線端末装置４ａとを備えている。ＩＰネットワーク５も、同様に、制御装置２ｃと、無線基地局３ｃと、この無線基地局３ｃを通して通信するＰＨＳなどの無線端末装置４ｃとを備えている。
これら２つの制御装置２ａ，２ｃには、同じシステム識別子が付与されている。
【００２５】
各無線端末装置４ａ，４ｃには、無線端末識別子が付与されている。無線端末識別子は、その無線端末装置を認識するための識別子である。
なお、各制御装置２ａ，２ｃ、無線基地局３ａ，３ｃは、ＩＰネットワークが異なるのでそれぞれ同じＩＰアドレスを付与しても混同することはない。従って、図２に示すように、制御装置、無線基地局にそれぞれ同じＩＰアドレス９１０，９２０を付与している。
【００２６】
各制御装置２ａ，２ｃは、専用のメモリ２１の中に、無線端末情報リスト（表１）を有しているのは、第１の実施形態と同様である。
無線端末登録方法も第１の実施形態とほぼ同様であるが、説明する。この無線端末登録方法は、２台の制御装置２ａ，２ｃが互いに分散して行い、登録後のデータを最後に１つに合わせる。
登録しようとする無線端末装置、例えば無線端末装置４ｃには、無線端末番号（電話番号）、無線端末識別子の組が設定される。
【００２７】
まず、管理者は、制御装置２ｃの無線端末登録プログラムを起動する。そして、管理者は、登録しようとする無線端末装置４ｃの無線端末番号（電話番号）を制御装置２ｃの無線端末情報リストの中に書き込む。
管理者は、当該無線端末装置４ｃを待ち受け状態にする。
以下、無線端末登録手順が自動的に進められる。当該制御装置２ｃは、無線基地局３ｃに無線端末登録手順を開始するように要求する。
【００２８】
無線基地局３ｃは、無線端末装置４ｃと無線通信を開始する。
無線端末装置４ｃは、無線端末識別子のデータを、無線基地局３ｃを通して制御装置２ｃに送信する。
制御装置２ｃは、システム識別子と無線端末識別子のデータとから、前述した変換ｆを行って、変換後のデータを無線端末情報リストの中に書き込む。
そして制御装置２ｃは、無線端末情報リストの中に書き込んだ内容、すなわちシステム識別子と無線端末識別子のデータを、無線端末番号（電話番号）とともに、無線基地局を経由して無線端末装置４ｃに送信する。
【００２９】
これにより、無線端末装置４ｃを当該ＩＰネットワーク１の中に登録することができる。
他の制御装置２ａにおいても、前述したのと全く同様の手順で、無線端末装置４ａをＩＰネットワーク１の中に登録することができる。
各制御装置２ａ，２ｃには、同じシステム識別子が付与されているので、無線端末装置４ａ，４ｃは、２つのＩＰネットワーク１，５に、システムを区別することなく、それぞれ登録される。
【００３０】
ただし、無線端末情報リストは、制御装置２ａ，２ｃごとに備えられていて、当該制御装置２ａ，２ｃを用いて登録した無線端末装置４ａ，４ｃの情報のみが書き込まれている。そこで、システムの本運用時は、これらの無線端末情報リストを統合して１つの無線端末情報リストとして管理することが必要となる。
これらの無線端末情報リストを統合は、統合前の無線端末情報リストのデータファイルとしての構造を理解するプログラムを用いて行う。この統合プログラムの実行は、いずれの制御装置２ａ，２ｃにおいて行ってもよく、まったく別の制御装置において行ってもよい。
【００３１】
無線端末情報リストを統合したら、システムの本運用を管理する制御装置２ａに、統合された無線端末情報リストを格納する。このとき、統合前の無線端末情報リストを上書きするという形でもよい。
これによって、無線端末装置４ｃを、ＩＰネットワーク１の中に組み込むことができる。なお、無線端末装置４ｃは、ＩＰネットワーク１の中に組み込まれた後は、ＩＰネットワーク１の直ぐ近くの無線基地局３ｄと通信することになる（図２の破線参照）。
【００３２】
以上で、本発明の実施の形態を説明したが、本発明の実施は、前記の形態に限定されるものではなく、本発明の範囲内で種々の変更を施すことが可能である。
【００３３】
【発明の効果】
以上のように本発明によれば、複数の無線端末装置を、各制御装置又は各ネットワークに分散して登録することができるので、地理的、組織的に分かれた単位で、新しい無線端末装置のシステムへの登録を、個別に分散して行うことができる。したがって、登録の手数を少なくし、登録時間を速めることができる。
【図面の簡単な説明】
【図１】本発明の無線端末登録方法が適用される、複数の制御装置を備えるＩＰネットワークの構成図である。
【図２】別々のＩＰネットワークに所属する制御装置において、それぞれ無線端末登録をする場合のＩＰネットワークの構成図である。
【符号の説明】
１  ＩＰネットワーク
２ａ，２ｂ，２ｃ  制御装置
３ａ，３ｂ，３ｃ  無線基地局
４ａ，４ｂ，４ｃ  無線端末装置
【図１】
2004304742.tif 000004
【図２】
2004304742.tif 000005